(57)【要約】    【課題】  中断した光学情報の読み取り作業を再開する際に、最後に読み取った光学情報を簡単に見つけ出すことができる光学情報読取装置を提供する。    【解決手段】  順次、商品１，商品２、商品３、商品４とバーコードを読み取って行き、商品５で読み取りを中断するため、最後のバーコードを記憶するようにロックボタン３３を操作しロックを掛ける。そして、ロック操作の際に読み取ったバーコードを読み取ることによって、ロックが解除される。このため、中断したバーコードの読み取り作業を再開する場合に、ロック操作したバーコードが見付け出されるまで、本体装置へデコード結果を出力させずに、バーコードを次々と読み取りながら、ロック操作したバーコードをを探すことができ、これにより、最後に読み取りロック操作に使用したバーコードを簡単に見つけ出すことができる。【選択図】  図４
2007226421.tif 000002
【特許請求の範囲】
【請求項１】
光学情報を読み取る光学情報読取装置において、
任意の光学情報を読み取った後に、所定のロック操作がなされた時に、光学情報の読み取り以外の操作を制限するロック手段と、
前記ロック操作の直前に読み取った光学情報、または、特定の光学情報を読み取った場合に、前記操作の制限を解除する解除手段とを備えることを特徴とする光学情報読取装置。
【請求項２】
更にロック準備操作手段が設けられており、
前記ロック準備操作手段が操作された後に、前記任意の光学情報の読み取りを実行することで、前記ロック手段による前記操作の制限を行うことを特徴とする請求項１の光学情報読取装置。
【請求項３】
光学情報を読み取る光学情報読取装置において、
所定のロック操作がなされた後に、任意の光学情報を読み取った時に、光学情報の読み取り以外の操作を制限するロック手段と、
前記ロック操作の直後に読み取った光学情報、または、特定の光学情報を読み取った場合に、前記操作の制限を解除する解除手段とを備えることを特徴とする光学情報読取装置。
【請求項４】
前記ロック手段による光学情報の読み取り以外の操作の制限は、
光学情報の読み取りがなされた時に、読み取られた光学情報が、前記ロック操作の時に読み取った光学情報、または、前記特定の光学情報であるか否かをチェックし、当該ロック操作の時に読み取った光学情報、または、前記特定の光学情報でない場合には、読み取った光学情報のデコード結果を上位装置へ出力しないことであることを特徴とする請求項１〜請求項３のいずれか１の光学情報読取装置。
【請求項５】
前記操作の制限がなされている間、
表示器に前記ロック操作の時に読み取った光学情報のデコード結果を表示することを特徴とする請求項１〜４のいずれか１の光学情報読取装置。
【請求項６】
前記操作の制限がなされている間、
表示器に前記ロック操作の時に読み取った光学情報の画像を表示することを特徴とする請求項１〜請求項３のいずれか１の光学情報読取装置。
【請求項７】
前記ロック手段は、前記操作の制限を行う時に、前記任意の光学情報、及び、当該任意の光学情報の読み取り以前に読み取った設定個数の光学情報のデータを記憶し、
前記操作の制限がなされた後、前記操作の制限の解除前に、光学情報の読み取り操作がなされた時に、読み取られた光学情報が、前記記憶された光学情報か否かを判断する判断手段と、
読み取られた光学情報が、前記記憶された光学情報である場合に、読み取り済みを報知する報知手段とを備えることを特徴とする請求項１〜請求項３のいずれか１の光学情報読取装置。
【請求項８】
前記ロック手段は、前記設定個数の光学情報を順番付けして記憶し、
前記報知手段は、読み取り済みを報知する時に、前記順番に応じて報知の状態を変化させることを特徴とする請求項７の光学情報読取装置。
【請求項９】
前記報知手段は、読み取り済みを報知する時に、前記順番に応じて出力音を変化させることを特徴とする請求項８の光学情報読取装置。
【請求項１０】
前記報知手段は、読み取られた光学情報が、前記記憶された光学情報では無い場合に、未読み取りを報知することを特徴とする請求項７〜請求項９のいずれか１の光学情報読取装置。
【発明の詳細な説明】
【技術分野】
【０００１】
本発明は、商品等に印刷又は貼り付けられているバーコード等の一次元光学情報、ＱＲコード（登録商標）等の二次元光学情報を読み取る光学情報読取装置に関するものである。
【背景技術】
【０００２】
コンビニエンスストアー等の小売店において、在庫管理、或いは、売れ筋商品を見極めるため棚卸しをする際には、各商品のバーコードをバーコード読取装置で読み取り、キー入力によって数えた商品数を入力し、処理装置で商品台帳との比較、或いは、商品の発注等を行っている。
【０００３】
小売店で販売されている商品の種類は膨大で、棚卸しに時間が掛かり、来客等によって棚卸しを中断せねばならないことが度々起こる。しかし、棚卸しを中断すると、どの商品までチェックしたかが分からなくなる場合も多く、重複データの入力やその削除が繰り返されているのが現状である。さらに、中断した状態で、バーコード読取装置を他人が操作して、蓄積していたデータを消失させる可能性がある。ここで、特許文献１には、ハンディスキャナーに印字ヘッドを搭載し、読み取りを終了したバーコードの付された面に、チェック済みのＶ印を印字する技術が開示されている。
【特許文献１】特開平５−６４５３号公報
【発明の開示】
【発明が解決しようとする課題】
【０００４】
しかしながら、特許文献１では、光学情報読取装置に印字ヘッドを搭載するとのハードウエアーの付加がなければ実現できないという問題があった。また、印字が終わるまでバーコード読取装置をバーコード側に押し当て続けねばならず、操作性が悪い。更に、棚卸しの際にＶ印を一旦印字すると、次の棚卸しでＶ印のある商品を読み取っても、既に読み取った商品か否かが分からなくなるという課題もあった。
【０００５】
本発明は、上述した課題を解決するためになされたものであり、その目的とするところは、中断した光学情報の読み取り作業を再開する際に、最後に読み取った光学情報を簡単に見つけ出すことができる光学情報読取装置を提供することにある。
【課題を解決するための手段】
【０００６】
上記目的を達成するため、請求項１の発明は、光学情報を読み取る光学情報読取装置１０において、
任意の光学情報を読み取った後に、所定のロック操作がなされた時に、光学情報の読み取り以外の操作を制限するロック手段（Ｓ２４）と、
前記ロック操作の直前に読み取った光学情報、または、特定の光学情報を読み取った場合に（Ｓ３６：Ｙｅｓ）、前記操作の制限を解除する解除手段（Ｓ３８）とを備えることを技術的特徴とする。
【０００７】
請求項１の光学情報読取装置１０では、例えば、棚卸しを中断する際に、最後の光学情報を読み取った後に、ロックボタン３３を押す等の所定のロック操作がなされた時に（Ｓ３２：Ｙｅｓ）、ロック手段（Ｓ２４）によって、光学情報の読み取り以外の操作が制限される。そして、棚卸しを再開するため、最後に読み取った光学情報（ロック操作の際に読み取った光学情報）を探し出す際に、当該光学情報を見付け出すまで、他の光学情報を読み取ってもロックが続き、そして、ロック操作の際に読み取った光学情報を読み取った場合に（Ｓ３６：Ｙｅｓ）、解除手段（Ｓ３８）によって、操作の制限が解除される。このため、中断した光学情報の読み取り作業を再開する際に、最後に読み取った光学情報を簡単に見つけ出すことができる。ここで、例えば、中断した棚卸しをそのまま中止する際には、特定の光学情報を読み取ることでもロックを解除することができる。また、ロック可能にすることで、棚卸の中断中に操作者以外の操作したとしても、蓄積したデータが消失することが無くなる。
【０００８】
請求項２の光学情報読取装置１０では、例えば、棚卸しを中断する際に、ロック準備ボタン３１を押す等の所定のロック準備操作の後に（Ｓ１４：Ｙｅｓ）、光学情報を読み取った時に（Ｓ２３：Ｙｅｓ）、ロック手段（Ｓ２４）によって、光学情報の読み取り以外の操作が制限される。
【０００９】
上記目的を達成するため、請求項３の発明は、光学情報を読み取る光学情報読取装置１０において、光学情報を読み取る光学情報読取装置において、
所定のロック操作がなされた後に（Ｓ１４：Ｙｅｓ）、任意の光学情報を読み取った時に（Ｓ２３：Ｙｅｓ）、光学情報の読み取り以外の操作を制限するロック手段（Ｓ２４）と、
前記ロック操作の直後に読み取った光学情報、または、特定の光学情報を読み取った場合（Ｓ３６：Ｙｅｓ）に、前記操作の制限を解除する解除手段（Ｓ３８）とを備えることを技術的特徴とする。
【００１０】
請求項３の光学情報読取装置１０では、例えば、棚卸しを中断する際に、ロック準備ボタン３１を押す等の所定のロック操作の準備後に（Ｓ１４：Ｙｅｓ）、光学情報を読み取った時に（Ｓ２３：Ｙｅｓ）、ロック手段（Ｓ２４）によって、光学情報の読み取り以外の操作が制限される。そして、棚卸しを再開するため、最後に読み取った光学情報（ロック操作の際に読み取った光学情報）を探し出す際に、当該光学情報を見付け出すまで、他の光学情報を読み取ってもロックが続き、そして、ロック操作の際に読み取った光学情報を読み取った場合に（Ｓ３６：Ｙｅｓ）、解除手段（Ｓ３８）によって、操作の制限が解除される。このため、中断した光学情報の読み取り作業を再開する際に、最後に読み取った光学情報を簡単に見つけ出すことができる。ここで、例えば、中断した棚卸しをそのまま中止する際には、特定の光学情報を読み取ることでもロックを解除することができる。また、ロック可能にすることで、棚卸の中断中に操作者以外の操作したとしても、蓄積したデータが消失することが無くなる。
【００１１】
請求項４の光学情報読取装置１０では、例えば、棚卸しを中断する際に、最後の光学情報を読み取った後に、ロックボタン３３を押す等の所定のロック操作がなされた際に、ロック手段（Ｓ２４）によってロックが成される。そして、棚卸しを再開するため、最後に読み取った光学情報（ロック操作の際に読み取った光学情報）を探し出す際に、当該光学情報を見付け出すまで、他の光学情報を読み取ってもロックが続く。即ち、光学情報の読み取りがなされると、読み取られた光学情報が、ロック操作の際に読み取った光学情報であるか否かをチェックし（Ｓ３６）、当該ロック操作の際に読み取った光学情報でない場合には（Ｓ３６：Ｎｏ）、読み取った光学情報のデコード結果を上位装置へ出力しない。そして、ロック操作の際に読み取った光学情報を読み取った際に（Ｓ３６：Ｙｅｓ）、解除手段（Ｓ３８）によって、操作の制限が解除される。このため、中断した光学情報の読み取り作業を再開する際に、ロック操作した光学情報が見付け出されるまでは、上位装置へデコード結果が出力されないので、ロック操作した周囲の光学情報を次々と読み取ってみることができ、これにより、最後に読み取った光学情報を簡単に見つけ出すことができる。
【００１２】
請求項５の光学情報読取装置１０では、ロックにより操作の制限がなされている間、表示器３４にロック操作の時に読み取った光学情報のデコード結果を表示するため（Ｓ２４）、光学情報の読み取りを試みなくても、目視によりロック操作の際に読み取った光学情報の付された対象物を見つけ出すことができる。
【００１３】
請求項６の光学情報読取装置１０では、ロックにより操作の制限がなされている間、表示器３４にロック操作の時に読み取った光学情報の画像を表示するため（Ｓ２４）、光学情報の読み取りを試みなくても、目視によりロック操作の際に読み取った光学情報を見つけ出すことができる。
【００１４】
請求項７の光学情報読取装置１０では、例えば、棚卸しを中断する際に、最後の光学情報を読み取った後に、ロックボタン３３を押す等の所定のロック操作がなされた際に（Ｓ３２：Ｙｅｓ）、ロック手段（Ｓ２４）によって、当該光学情報、及び、当該光学情報の読み取り以前に読み取った設定個数の光学情報のデータが記憶される（Ｓ２０）。そして、棚卸しを再開するため、最後に読み取った光学情報（ロック操作の際に読み取った光学情報）を探し出すために任意の光学情報が読み取られた際に、判断手段によって、読み取られた光学情報が、記憶された光学情報か否か判断され（Ｓ４４）、読み取られた光学情報が、記憶された光学情報である際に（Ｓ４４：Ｙｅｓ）、告知手段によって読み取り済みが報知される（Ｓ４６）。このため、中断した光学情報の読み取り作業を再開する際に、既に読み取った光学情報か否かが分かり、ロック操作の際に読み取った光学情報、及び当該光学情報に続く未読み取りの光学情報を簡単に見つけ出すことができる。
【００１５】
請求項８の光学情報読取装置１０では、ロック手段（Ｓ２４）が、設定個数の光学情報を順番付けして記憶し（Ｓ２０）、報知手段が、読み取り済みを報知する際に、記録した順番に応じて報知の状態を変化させる（Ｓ４８）。このため、操作者は、読み取っている光学情報が、ロック操作の際に読み取った光学情報に近づいているか、遠ざかっているかを判別でき、ロック操作の際に読み取った光学情報、及び、当該光学情報に続く未読み取りの光学情報を簡単に見つけ出すことができる。
【００１６】
請求項９の光学情報読取装置１０では、ロック手段（Ｓ２４）が、設定個数の光学情報を順番付けして記憶し（Ｓ２０）、報知手段が、読み取り済みを報知する際に、記録した順番に応じて出力音の状態を変化させる（Ｓ４８）。このため、操作者は、読み取っている光学情報が、ロック操作の際に読み取った光学情報に近づいているか、遠ざかっているかを判別でき、ロック操作の際に読み取った光学情報、及び、当該光学情報に続く未読み取りの光学情報を簡単に見つけ出すことができる。
【００１７】
請求項１０の光学情報読取装置１０では、読み取られた光学情報が、記憶された光学情報では無い際に（Ｓ４４：Ｎｏ）、報知手段が未読み取りを報知する（Ｓ４９）。このため、操作者は、光学情報が既に読み取っているか否か分かり、ロック操作の際に読み取った光学情報に続く未読み取りの光学情報を簡単に見つけ出すことができる。
【発明を実施するための最良の形態】
【００１８】
[第１実施形態]
以下、本発明の光学的情報読取装置の実施形態について図を参照して説明する。まず、第１実施形態に係る情報コード読取装置１０の構成概要を図１及び図２に基づいて説明する。図１は第１実施形態の情報コード読取装置１０の平面図であり、図２は、図１中の情報コード読取装置１０のＡ−Ａ断面図である。図１に示すように、情報コード読取装置１０の上面には、緑、黄、赤色のＬＥＤを内蔵する表示灯３６と、液晶表示器３４と、情報コードの読み取りを開始させるトリガーキー３０と、テンキー等の操作ボタン３２、ロック操作を行うためのロックボタン３３と、ロック操作の準備を行うためのロック準備ボタン３１とが設けられている。
【００１９】
図２に示すように、バーコード、ＱＲコード等の情報コードを読み取る情報コード読取装置１０は、主に、縦長のほぼ矩形箱状なすハウジング１１と、このハウジング１１内に収容される回路部２０と、同じくこのハウジング１１内に収容されて回路部２０に駆動電力を供給する二次電池２８とにより構成されている。
【００２０】
ハウジング１１は、例えば、ＡＢＳ樹脂等の合成樹脂からなる成形部品で、その一端側に、ハウジング１１の裏面方向に前傾するように「首曲がり形状」をなす読取口１１ａを備えている。この読取口１１ａは、後述する回路部２０の受光センサ２３に入射する入射光を導入可能な開口部である。読取口１１ａの近傍には、入射光を受光センサ２３側に反射する反射鏡２６が設けられている。ハウジング１１の表面側には液晶表示器３４を取付可能な開口部も形成されており、情報コード読取装置１０の使用者が液晶表示器３４に表示する表示内容を視覚的に把握可能に構成している。プリント配線板１６には、ブザー装置３８及び出力回路４０が設けられ、情報コードのデコードに成功した場合に、ブザー装置３８が鳴動させられ、出力回路４０により本体装置へ送信される。
【００２１】
回路部２０は、ハウジング１１の内部に収容されているプリント配線板１５、１６に実装される各種の電子部品１８等によって構成されている。即ち、回路部２０は、主に、照明光源２５、受光センサ２３、結像レンズ２７等の光学系と、メモリ１９、ＣＰＵ２２、ブザー装置３８、出力回路４０、液晶表示器３４等のマイクロコンピュータ系と、二次電池２８等の電源系と、から構成されている。
【００２２】
図３は、情報コード読取装置１０の回路構成を示している。
図２に示すように照明光源２５からの光はバーコードＢ側へ照射される。バーコードＢにより反射された光は、再度、ハウジング１１内に入り、反射鏡２６で反射されて、結像レンズ２７へ入射し、ＣＣＤから成る受光センサ２３に情報コードの像を結像させる。図３に示すように情報コードの像を光電変換して読み取った受光センサ２３は、像のパターンを表す電気信号として増幅回路４４へ出力する。増幅回路４４からの増幅された信号はＡ／Ｄ変換回路４６でデジタルデータに変換され、画像処理部４８へ送られ、ＣＰＵ２２の処理により、そのデータをデコード（解読）して、情報コードが表している情報を得、その情報を作業領域側のメモリ１９Ａに一旦記憶する。次に、このメモリ１９Ａ内に記憶されたデコード情報を出力回路を構成する無線通信部４０Ａ又は有線通信部４０Ｂにより、所定タイミングで、電波による無線通信あるいは有線で本体装置へ送信する。ここで、システム領域のメモリ１９Ｂは、ＣＰＵ２２の制御プログラム等を保持する。外部から供給された電力は電源回路４２を介して二次電池２８に蓄えられ、蓄えられた電力により情報コード読取装置１０が動作する。
【００２３】
図４を参照して第１実施形態の情報コード読取装置１０のロック及びロック解除操作について説明する。
図４（Ａ）は、情報コード読取装置１０を用いて棚卸しを行っている最中に、棚卸しを中断するために、最後に読み取ったバーコードが分かるように当該バーコードでロックを掛ける操作を説明するための図である。ここでは、順次、商品１，商品２、商品３、商品４とバーコードを読み取って行き、商品５で読み取りを中断するため、最後のバーコードを記憶するようにロックボタン３３を操作し、商品５のバーコードでロックを掛ける。このロック状態では、情報コード読取装置１０は、バーコードの読取はできるが、読み取られたバーコードをデコードしたデータは、本体装置側へ出力しなくなる。このロック状態においては、情報コード読取装置１０は、液晶表示器３４に、当該商品５の名前（例えば、鮭おにぎり）の表示とともに、商品５のバーコードを表示する。これにより、目視によりロック操作の際に読み取ったバーコードの付された商品（鮭おにぎり）を見つけ出すことができる。さらに、バーコードを直接見付けることもできる。
【００２４】
棚卸しを再開する際には、最後に読み取ったバーコード（ロック操作の際に読み取った商品５のバーコード）を探し出す。この際に、当該バーコードを見付け出すまで、他のバーコード（例えば、商品１、商品２）を読み取ってもロックが続く。即ち、バーコードの読み取りがなされると、読み取られたバーコードが、ロック操作の際に読み取ったバーコードであるか否かをチェックし、当該ロック操作の際に読み取ったバーコードでない場合には、読み取ったバーコードのデコード結果を本体装置へ出力しない。更に、情報コード読取装置１０で、商品５のバーコード以前に読み取ったバーコードを順番とともに所定個数記憶しており、読み取り済みを報知する際に、記録した順番に応じてブザー装置３８の音量を上げていく。例えば、商品２、商品３、商品４と順々にバーコードを読み取って行くと、ブザー音がだんだん大きくなっていく。このため、操作者は、読み取っているバーコードが、ロック操作の際に読み取ったバーコードに近づいているか、遠ざかっているかを判別でき、ロック操作の際に読み取ったバーコード、及び、当該バーコードに続く未読み取りのバーコードを簡単に見つけ出すことができる。
【００２５】
併せて、既に読み取ったバーコードが読み取られた際には、読み取り済みであることを液晶表示器３４に「既に読み取り済み」と表示により使用者へ告知し、また、未読み取りのバーコードが読み取られた際には、液晶表示器３４で「未読み取り」と表示し未読み取りであることを告知する。このため、中断した光学情報の読み取り作業を再開する際に、既に読み取ったバーコードか否かが分かり、ロック操作の際に読み取ったバーコード、及び当該バーコードに続く未読み取りのバーコードを簡単に見つけ出すことができる。
【００２６】
図４（Ｂ）は、ロック解除時の操作を示している。ロック操作の際に読み取ったバーコードを読み取った際に、ロックが解除される。このため、中断したバーコードの読み取り作業を再開する際に、ロック操作したバーコードが見付け出されるまでは、本体装置へデコード結果が出力されないので、ロック操作した周囲のバーコードを次々と読み取ってみることができ、これにより、最後に読み取ったバーコードを簡単に見つけ出すことができる。また、ロック可能にすることで、棚卸の中断中に操作者以外の操作したとしても、蓄積したデータが消失することが無くなる。
【００２７】
図４（Ｃ）は、ロック操作の際に読み取ったバーコードを用いらず、ロック解除する際の操作を示している。第１実施形態では、ロック解除専用のバーコードが用意されており、例えば、中断した棚卸しをそのまま中止する際には、ロック解除専用のバーコードを読み取ることでもロックを解除することができる。ここでは、ロック解除に専用のバーコードを用いたが、この代わりに、操作ボタン（テンキー）３２に、予め登録した４桁の数字を打ち込むことでロック解除するようにも構成できる。
【００２８】
引き続き、図５及び図６のフローチャートを参照して、上述したロック操作、ロック解除操作時を含むコードの読み取り処理について説明する。
まず、ロック状態かを判断し（Ｓ１２）、ロック状態で無い場合には（Ｓ１２：Ｎｏ）、トリガー操作が成されると、コードを読み取り、デコードしてメモリ１９Ａに保持し、更に、本体装置側へデコード結果を出力する（Ｓ２０）。メモリ１９Ａへの保持は、所定個数（例えば３０個）分が順番と共に保持される。そして、ロックキー３３が操作されたかを判断する（Ｓ３２）。ここで、ロックキー３３が操作された際には（Ｓ３２：Ｙｅｓ）、ロック状態への遷移処理を行う（Ｓ２４）。ここでは、図７（Ａ）に示すようにロックを行った際の商品５のバーコード又はＱＲコードのデコード結果の表示を行うか、図７（Ｂ）に示すようにロックを行った際の商品５のバーコード又はＱＲコードの画像表示と共にデコード結果の表示を行う。
【００２９】
ロック状態かのＳ１２の判断がＹｅｓとなり、ロック状態へ移行すると、トリガー操作が成されると、コードを読み取り、デコードするが本体装置側へは出力しない（Ｓ３４）。そして、読み取ったコードがロックに使用されたバーコード又はＱＲコード、或いは、ロック解除専用のバーコードかを判断する（Ｓ３６）。ここで、読み取ったコードがロックに使用されたバーコード、ＱＲコードではない場合には（Ｓ２６：Ｎｏ）、ロックに使用したバーコード、ＱＲコード以外を読み取った場合のサブルーチン（Ｓ４０）へ進む。
【００３０】
当該サブルーチンでの処理を図６を参照して説明する。
まず、読み取ったデータが、既に読み取ったデータであるかを照合し（Ｓ４２）、そして、読み取り済みの場合には（Ｓ４４：Ｙｅｓ）、液晶表示器３４に「既に読み取り済み」と表示する。そして、上述したように、読み取りの順番に応じた大きさのブザー音を出力する（Ｓ４８）。他方、未読み取りの場合には（Ｓ４４：Ｎｏ）、液晶表示器３４で「未読み取り」と表示する（Ｓ４９）。
【００３１】
上述したＳ３６での判断で、ロックに使用したコードを読み取った場合（Ｓ３６：Ｙｅｓ）、液晶表示器３４でのロックを行った際のデコード結果及びコードの表示を終了すると共に、ロック解除しましたと表示するロック解除処理を行う（Ｓ３８）。
【００３２】
[第２実施形態]
第２実施形態に係る光学情報読取装置の処理について、図８を参照して説明する。なお、光学情報読取装置の機械的構成に関しては、上述した第１実施形態と同様であるため、説明を省略する。
第１実施形態の光学情報読取装置では、コードを読み取ってからロックボタン３３を操作することで、当該コードでロックを掛けたが、第２実施形態では、ロック準備ボタン３１を押してから、コードを読み取ることで、当該コードでロックを掛ける。
【００３３】
まず、ロック状態かを判断し（Ｓ１２）、ロック状態で無い場合には（Ｓ１２：Ｎｏ）、ロック準備ボタン３１が押されたかを判断する（Ｓ１４）。ここで、ロック準備ボタン３１が押されない限り（Ｓ１４：Ｎｏ）、トリガー操作が成されると、コードを読み取り、デコードしてメモリ１９Ａに保持し、更に、本体装置側へデコード結果を出力する（Ｓ３２）。一方、ロック準備ボタン３１が押されると（Ｓ１４：Ｙｅｓ）、ロック準備処理を実行し（Ｓ１６）、ロック用バーコード、ＱＲコードの読み取りを許容する時間を設定するタイマをスタートし（Ｓ１８）、コード情報が読み取り保存されたかを判断する（Ｓ２３）。コード情報が読み取り保存されるまでは（Ｓ２３：Ｎｏ）、タイマに設定された時間が経過したかを判断し（Ｓ２６）、タイマに設定された時間中にコード情報の読み取りが成されない場合には（Ｓ２６：Ｙｅｓ）、ロック準備状態を解除し（Ｓ３０）、処理を終了する。一方、コード情報が読み取られると（Ｓ２３：Ｙｅｓ）、第１実施形態と同様にロック状態への遷移処理を行う（Ｓ２４）。ここでは、図７（Ａ）に示すようにロックを行った際の商品５のバーコード又はＱＲコードのデコード結果の表示を行うか、図７（Ｂ）に示すようにロックを行った際の商品５のバーコード又はＱＲコードの画像表示と共にデコード結果の表示を行う。
【００３４】
ロック状態へ移行すると、ロック状態かのＳ１２の判断がＹｅｓとなり、トリガー操作が成されると、コードを読み取り、デコードする（Ｓ３４）。そして、読み取ったコードがロックに使用されたバーコード又はＱＲコードかを判断する（Ｓ３６）。ここで、読み取ったコードがロックに使用されたバーコード、ＱＲコードではない場合には（Ｓ３６：Ｎｏ）、ロックに使用したバーコード、ＱＲコード以外を読み取った場合の図６を参照して上述したサブルーチン（Ｓ４０）へ進む。ロックに使用したコードを読み取った場合（Ｓ３６：Ｙｅｓ）、液晶表示器３４でのロックを行った際のデコード結果及びコードの表示を終了すると共に、ロック解除しましたと表示するロック解除処理を行う（Ｓ３８）。
【００３５】
[第３実施形態]
第３実施形態に係る光学情報読取装置の処理について、図９を参照して説明する。
第２実施形態の光学情報読取装置では、ロック準備ボタン３１を押してから、コードを読み取ることで、当該コードでロックを掛けた。これに対して、第３実施形態では、ロック準備ボタン３１を押してから、コードを読み、更にロックボタン３３を押すことで、当該コードでロックを掛ける。
【００３６】
まず、ロック状態かを判断し（Ｓ１２）、ロック状態で無い場合には（Ｓ１２：Ｎｏ）、ロック準備ボタン３１が押されたかを判断する（Ｓ１４）。ロック準備ボタン３１が押されると（Ｓ１４：Ｙｅｓ）、ロック準備処理を実行し（Ｓ１６）、ロック用バーコード、ＱＲコードの読み取りを許容する時間を設定するタイマーをスタートし（Ｓ１８）、コード情報が読み取り保存されると（Ｓ２０）、ロックボタン３３が操作されたかを判断する（Ｓ２２）。ロックボタンが操作されるまでは（Ｓ２２：Ｎｏ）、タイマに設定された時間が経過したかを判断し（Ｓ２６）、タイマに設定された時間が経過するまでは（Ｓ２６：Ｎｏ）、Ｓ２０の処理に戻る。ここで、設定された時間が経過すると（Ｓ２６：Ｙｅｓ）、読み取ったコード情報を廃棄してから（Ｓ２８）、ロック準備状態を解除して（Ｓ３０）、処理を終了する。一方、ロックボタンが押し下げられると（Ｓ２２：Ｙｅｓ）、第１実施形態と同様にロック状態への遷移処理を行う（Ｓ２４）。他の処理は、上述した第２実施形態と同様であるため、説明を省略する。
【産業上の利用可能性】
【００３７】
上述した実施形態では、ブザー音の大きさを変えることで、ロックしたバーコードに近づいているかを報知したが、この代わりに、表示器に表示することも（例えば、「４個先がロックに使用したバーコードです」との表示）、音声により案内することも、或いは、表示灯３６のＬＥＤの表示色を変えることも可能である。なお、上述した実施形態では、バーコードの等の一次元コードの読み取りを例示したが、本発明の光学情報読取装置は、ＱＲコード等の二次元コードにも適用可能であることは言うまでもない。
【図面の簡単な説明】
【００３８】
【図１】本発明の実施形態に係る情報コード読取装置の平面図である。
【図２】図１に示す情報コード読取装置のＡ−Ａ断面図である。
【図３】情報コード読取装置の回路構成を示すブロック図である。
【図４】図４（Ａ）は、情報コード読取装置のロック動作の説明図であり、図４（Ｂ）、図４（Ｃ）は、ロック解除の説明図である。
【図５】第１実施形態の情報コード読取装置による情報コードの読み取り処理を示すフローチャートである。
【図６】図５中のロックに使用したコード以外を読み取った場合の処理のサブルーチンを示すフローチャートである。
【図７】図７（Ａ）及び図７（Ｂ）は、情報コード読取装置の画像表示の説明図である。
【図８】第２実施形態の情報コード読取装置による情報コードの読み取り処理を示すフローチャートである。
【図９】第３実施形態の情報コード読取装置による情報コードの読み取り処理を示すフローチャートである。
【符号の説明】
【００３９】
１０  情報コード読取装置
１９Ａ  メモリ
１９Ｂ  メモリ
２２  ＣＰＵ
３１  ロック準備ボタン
３３  ロックボタン
３４  液晶表示器
３８  ブザー装置
４０Ａ  無線通信部
４８  画像処理部
【図１】
2007226421.tif 000003
【図２】
2007226421.tif 000004
【図３】
2007226421.tif 000005
【図４】
2007226421.tif 000006
【図５】
2007226421.tif 000007
【図６】
2007226421.tif 000008
【図７】
2007226421.tif 000009
【図８】
2007226421.tif 000010
【図９】
2007226421.tif 000011